(57)【要約】【課題】第２のスィツチ接点を持つ第２の脚部を硬いゴムから成形することにより、２ｎｄレリ−ズＯＮを認識させて、２ｎｄレリ−ズのＯＮ以降の押し込みを阻止している。【解決手段】スイッチ本体１０が押し込まれると、第１の膜部１７−１が変形し、第１の脚部下面の第１のスイッチ接点１１ａが電気基板２０の第１スイッチパターンを閉じて１ｓｔレリーズがＯＮとなる。さらに押し込まれると、第２の膜部１７−２が変形し、第２の脚部下面の第２のスイッチ接点１２ａが電気基板２０の第２スイッチパターンを閉じて２ｎｄレリーズがＯＮとなる。第２の脚部１２と中央柱状部１６とが第３の膜部１７−３で連結されているため、２ｎｄレリーズのＯＮの後にスイッチ本体１０が押し込まれても、第３の膜部が変形しストロークに対する遊びが生じて、２ｎｄレリーズＯＮ以降のストロークを吸収する。【選択図】図２
2008096921.tif 000002
【特許請求の範囲】
【請求項１】
撮像装置のレリ−ズ装置において、
第１の押し込み量を生じさせる第１の変形部と、
上記第１の変形部の変形後、第２の押し込み量を生じさせる第２の変形部と、
上記第２の変形部の変形後、第３の押し込み量を生じさせる第３の変形部とを有し、これらが一体で成形された弾性部材を備えることを特徴とする撮像装置のレリーズ装置。
【請求項２】
撮像装置のレリ−ズ装置において、
第１の押し込み量を生じさせる第１の変形部と、上記第１の変形部の変形後、第２の押し込み量を生じさせる第２の変形部と、上記第２の変形部の変形後、第３の押し込み量を生じさせる第３の変形部とを有し、これらが一体で成形された弾性部材と、
上記第１の変形部の変形によって閉じられる第１のスイッチパターンと、上記第２の変形部の変形によって閉じられる第２のスイッチパターンとを有する電気基板と、
を備えることを特徴とする撮像装置のレリーズ装置。
【請求項３】
上記請求項１、２記載の撮像装置のレリ−ズ装置において、
上記第３の変形部は、上記第２の変形部の変形後に座屈することを特徴とする撮像装置のレリーズ装置。
【発明の詳細な説明】
【技術分野】
【０００１】
本発明は、デジタルビデオカメラ、フィルムカメラ、デジタルカメラなどの撮像装置のレリ−ズ装置に関する。
【背景技術】
【０００２】
カメラなどの撮像装置のレリ−ズ装置は、一般的に１ｓｔレリ−ズ（半押し）と２ｎｄレリ−ズ（全押し）の２段スイッチとなっており、１ｓｔレリ−ズで撮影準備動作が開始され、２ｎｄレリ−ズで撮影動作が開始される。たとえば、デジタルカメラにおいては、レリ−ズ装置の１ｓｔレリ−ズがＯＮされるまで、撮像素子（ＣＣＤ）が所定周期で連続的に動作し、スルー動画像（ライブビュー画像）が背面の液晶ディスプレイ（ＬＣＤ）に表示される。そして、１ｓｔレリ−ズがＯＮされると、測光センサで被写体を測光し、その測光結果に基づいて測光演算がなされ、測距センサで測距してその測距結果に基づいて自動フォ−カシング（ＡＦ）がなされる。さらに、２ｎｄレリ−ズがＯＮされると、撮像素子を動作させて露光動作（撮影）がなされ、撮像素子に蓄積した電荷が光電変換され、ＣＣＤ出力処理回路を介して画像デ−タが読み出され、所定の画像処理を施されて画像メモリに記憶される。
【０００３】
レリ-ズ装置においては、レリーズ釦を指で押し込むことにより、まず、第１段目の接点（第１のスイッチ接点）が電気基板の１ｓｔスイッチパターン、グランドパターン間を導通して１ｓｔレリ−ズがＯＮとなり、さらに押し込むことにより、第２段目の接点（第２のスイッチ接点）が電気基板の２ｎｄスイッチパターン、グランドパターンを導通して２ｎｄレリ−ズがＯＮとなる。
このように、押し込みストロークの前半で１ｓｔレリ−ズがＯＮに、押し込みストロークの後半で２ｎｄレリ−ズがＯＮになる。しかし、第２のスイッチ接点を介して電気基板の２ｎｄスイッチパターン、グランドパターンが導通して２ｎｄレリ−ズがＯＮとなっても、押し込む指が２ｎｄレリ−ズのＯＮを手触りとして感じ難いため、２ｎｄレリ−ズがＯＮとなってもさらに押し込むことがあり、それが手ブレを生じる一因となっている。
【０００４】
そのため、実願平０３−０６９０４８号（実開平０５−０２００３８号）のＣＤ−ＲＯＭでは、レリ−ズ装置の第１段目、第２段目の接点（第１、第２スイッチ接点）をその下面に持つ脚部を異なる硬度のゴムで成形している。
すなわち、図６（Ａ）は上記公報記載の公知のレリ−ズ装置の初期状態での正面図を示し、レリ−ズ装置のスイッチ本体１１０の下半部１１０−１は硬度の柔らかいゴム（５０°）から、上半部１１０−２は硬いゴム（７０°〜８０°）からそれぞれ成形されている。そして、電気基板１２０と対向するその下面に第１のスイッチ接点１１１ａを持つ第１の脚部１１１が下半部１１０−１に、下面に第２のスイッチ接点１１２ａを持つ第２の脚部１１２が下半部上１１０−２にそれぞれ形成されている。
【０００５】
図６（Ｂ）は当該レリ−ズ装置における押力−ストローク線図を示し、スイッチ本体１１０を押し込むと、押力ｆ1、ストロークＳ1で、第１の脚部１１１の下面の第１のスイッチ接点１１１ａが電気基板１２０の１ｓｔスイッチパターン１２０−１、グランドパターン１２０−３に接触しそれらを導通して１ｓｔレリ−ズをＯＮとする。
スイッチ１１０をさらに押し込むと、押力ｆ2、ストロークＳ2で、第２の脚部１１２の下面の第２のスイッチ接点１１２ａが電気基板１２０の２ｎｄスイッチパターン１２０−２、グランドパターン１２０−３に接触しそれらを導通して２ｎｄレリ−ズがＯＮとなる。第２の脚部下面の第２のスイッチ接点１１２ａが電気基板１２０の２ｎｄスイッチパターン１２０−２、グランドパターン１２０−３に接触すると、第１の脚部１１１よりも硬いゴムから第２の脚部１１２が成形されているため、押し込みの到達感（クリック感）が指先に伝わり、２ｎｄレリ−ズのＯＮを手触りとして認識でき、２ｎｄレリ−ズＯＮ以降の押し込みが阻止される。
【特許文献１】実願平０３−０６９０４８号（実開平０５−０２００３８号）のＣＤ−ＲＯＭ
【発明の開示】
【発明が解決しようとする課題】
【０００６】
実願平０３−０６９０４８号（実開平０５−０２００３８号）のＣＤ−ＲＯＭの構成では、第２のスイッチ接点をその下面に持つ第２の脚部を硬いゴムから成形することにより、２ｎｄレリ−ズＯＮを明確に認識させて、２ｎｄレリ−ズのＯＮ以降の押し込みを阻止している。つまり、この構成では、２ｎｄレリ−ズのＯＮ以降での押し込みに対する遊びをなくして、２ｎｄレリ−ズのＯＮ以降のストロークの発生を阻止している。
しかし、現実のレリーズ操作では、２ｎｄレリ−ズＯＮを明確に認識した時点で押し込みを即座に中止することは難しい。そのため、２ｎｄレリ−ズのＯＮ以降の押し込みに対する遊びがない公知の構成では、２ｎｄレリ−ズのＯＮ以降の押し込みがあると、手ブレが生じやすい。
【課題を解決するための手段】
【０００７】
本発明の撮像装置のレリーズ装置においては、２ｎｄレリ−ズのＯＮ以降の押し込みに対する遊びを設けている。
すなわち、請求項１記載の本発明によれば、撮像装置のレリ−ズ装置において；第１の押し込み量を生じさせる第１の変形部と；上記第１の変形部の変形後、第２の押し込み量を生じさせる第２の変形部と；上記第２の変形部の変形後、第３の押し込み量を生じさせる第３の変形部とを有し、これらが一体で成形された弾性部材を備えることを特徴としている。
また、請求項２記載の本発明によれば、撮像装置のレリ−ズ装置において；第１の押し込み量を生じさせる第１の変形部と、上記第１の変形部の変形後、第２の押し込み量を生じさせる第２の変形部と、上記第２の変形部の変形後、第３の押し込み量を生じさせる第３の変形部とを有し、これらが一体で成形された弾性部材と；上記第１の変形部の変形によって閉じられる第１のスイッチパターンと、上記第２の変形部の変形によって閉じられる第２のスイッチパターンとを有する電気基板と；を備えることを特徴としている。
【発明の効果】
【０００８】
請求項１記載の本発明では、第３の変形部の変形によって遊びが設定され、第２の変形部の変形後において第３の押し込みがあっても、第３の変形部が変形して第３の押し込みを吸収するため、手ブレの発生が軽減する。
また、請求項２記載の本発明では、第３の変形部の変形によって遊びが設定され、第２の変形部の変形によって電気基板の第２のスイッチパターンが閉じられた後に、第３の押し込みがあっても第３の変形部が変形して第３の押し込みを吸収するため、手ブレの発生が軽減する。
【発明を実施するための最良の形態】
【０００９】
本発明では、撮像装置のスイッチ装置は、第１、第２の変形部に加えて、第２の変形部を変形させる第２の押し込み後の第３の押し込みを許容する第３の変形部を有し、第１、第２、第３の変形部を一体に成形した弾性部材を備えている。
【実施例】
【００１０】
図１（Ａ）（Ｂ）は本発明の一実施例に係る撮像装置のレリ−ズ装置の初期位置、および１ｓｔレリーズＯＮでの縦断面図、図２（Ａ）（Ｂ）はレリ−ズ装置の２ｎｄレリーズＯＮ、および２ｎｄレリーズＯＮを越えて押し込んだ状態での縦断面図、図３はレリ−ズ装置のスイッチ本体の分解斜視図、図４はレリーズ装置における押力−ストローク線図を示す。
【００１１】
図１（Ａ）、図３に示すように、撮像装置のレリ−ズ装置１は、スイッチ本体１０と、電気基板２０とを備えて構成されている。スイッチ本体１０は、第１、第２の脚部１１、１２と、外縁部１４と、中央柱状部１６とを有し、外縁部、第１の脚部の間、第１、第２の脚部の間、第２の脚部、中央柱状部の間はいずれも膜部で連結した弾性部材から一体に成形されている。スイッチ本体１０は、素材としてゴム部材、たとえば硬度６０°のシリコンゴムから成形されている。外縁部１４、第１、第２の脚部がいずれも環形形状に、中央柱状部１６が円柱形状とされてスイッチ本体１０の外形は略円錐台形状となっている。また、十分な弾性を確保するように、スイッチ本体１０は中空形状に成形されている。
【００１２】
外縁部１４、第１の脚部１１の間の膜部（第１の膜部）１７−１は平坦なリング形状に形成され、第１、第２の脚部１１、１２の間の膜部（第２の膜部）１７−２と、第２の脚部１２、中央柱状部１６との間の膜部（第３の膜部）１７−３とは、略円錐台形状の部分斜面形状（テーパ形状）にそれぞれ形成されている。そして、第１、第２のスイッチ接点（電極）１１ａ、１２ａが、第１、第２の脚部１１、１２の下面、すなわち、後述の電気基板と対向する側に第１、第２の脚部と一体にリング形状にそれぞれ設けられ、フランジ付の円筒形状のスイッチ釦１８が中央柱状部１６に嵌着されている。
【００１３】
電気基板２０がスイッチ本体１０の下方に配置され、スイッチ本体、電気基板を挟んで上方に外装部材３０が、下方に取付け部材４０が配置されている。そして、取付け部材４０から伸びた一対の位置決めピン４０ａが、電気基板２０、スイッチ本体１０のそれぞれ一対の位置決め孔２０ａ、１０ａに挿通され、外装部材の取付け部材の一対の取付け孔３０ａに嵌合されることによって、スイッチ本体、電気基板が、取付け部材、外装部材間に組み込まれている。ここで、スイッチ本体のスイッチ釦１８は外装部材の取付け孔３０ｂに上下にスライド可能に下から挿通され、取付け孔３０ａへの位置決めピン４０ａの嵌合位置は、スイッチ釦のフランジ１８ａを外装部材３０の下面に押付ける適度の弾性を生じるようにその軸線Ｏ方向でスイッチ本体１０を変形させる位置とされる。
【００１４】
図５は電気基板の平面図を示す。図５に示すように、電気基板２０は、リング状に形成された第１のスイッチパターン２０−１と、この第１のスイッチパターンの内側にリング形状に形成されたグランドパターン２０−３と、このグランドパターンの内側に形成された第２のスイッチパターン２０−２とを有して形成されている。ここで、第２のスイッチパターンのリード配線は、スルーホール配線により裏面に設けられ、配線されている。グランドパターン２０−３の外周部、第１のスイッチパターン２０−１がスイッチ本体の第１のスイッチ接点１１ａの下方に位置し、グランドパターンの内周部、第２のスイッチパターン２０−２が第２のスイッチ接点１２ａの下方に位置している。そして、第１、第２のスイッチパターン２０−１、２０−２、グランドパターン２０−３は、外部回路、たとえば、スイッチを制御するＣＰＵ（中央制御回路）など（図示しない）との接続のための接続パターン２０−１ａ、２０−２ａ、２０−３ａをそれぞれ有している。
【００１５】
レリーズ装置１の動作について述べると、図１（Ａ）の初期状態からスイッチ釦１８を押し下げてスイッチ本体１０を押し込むと、加えられる押力fに対応して第１の膜部１７−１がまず変形し、図１（Ｂ）に示すように、第１の脚部下面の第１スィツチ接点１１ａが電気基板のグランドパターン２０−３の外周部、第１のスイッチパターン２０−１に接触し、グランドパターン、第１のスイッチパターンを導通して、１ｓｔレリーズがＯＮとなる。図４に示すように、押力ｆ1、ストロークＳ1で１ｓｔレリーズがＯＮとなる。
【００１６】
１ｓｔレリーズＯＮの図１（Ｂ）からさらにスイッチ本体１０を押し込むと、第１、第２の脚部１１、１２間の第２の膜部１７−２は略円錐台形状の部分斜面形状であるため、図４に示すように、座屈を生じながら変形する。そして、座屈した後、押力ｆ2、ストロークＳ2のとき、図２（Ａ）に示すように、第２の脚部下面の第２スィツチ接点１２ａがグランドパターン２０−３の内周部、第２のスイッチパターン２０−２に接触し、グランドパターン、第２のスイッチパターンを導通して、２ｎｄレリーズがＯＮとなる。
このように、１ｓｔレリーズから２ｎｄレリーズに至る間で第２の膜部１１ａが座屈しながら変形することにより、押し込みの到達感が指先に伝わって、２ｎｄレリ−ズのＯＮを認識できる。
【００１７】
２ｎｄレリ−ズがＯＮとなった後にスイッチ本体１０をさらに押し込んでも、図２（Ｂ）に示すように、第３の膜部１７−３が変形して、その押し込みを吸収するため、２ｎｄレリ−ズＯＮ以降の押し込みによる手ブレの発生が阻止される。すなわち、第３の膜部１７−３が変形することにより、ストロークに対する遊びが設定され、この遊びが２ｎｄレリ−ズＯＮ以降の押し込みを吸収し、２ｎｄレリ−ズＯＮ以降もストロークに余裕を持たせることができる。
【００１８】
このように、第１の膜部（第１の変形部）１７−１が変形し、第１の押し込み量を生じて、第１のスイッチ接点１１ａが電気基板の第１のスイッチパターン２０−１を閉じることにより１ｓｔレリーズがＯＮとなる。また、１ｓｔレリーズをＯＮとする第１の膜部（第１の変形部）１７−１の変形後に、第２の膜部（第２の変形部）１７−２が変形し、第２の押し込み量を生じて、第２のスイッチ接点１２ａが電気基板の第２のスイッチパターン２０−２を閉じることにより、２ｎｄレリーズがＯＮとなる。そして、２ｎｄレリーズをＯＮとする第２の膜部（第２の変形部）１７−２の変形後にスイッチ本体１０をさらに押し込んでも、第３の膜部（第３の変形部）１７−３が変形して、遊びに相当する第３の押し込み量を生じさせることにより、２ｎｄレリ−ズＯＮ以降の押し込みが吸収されて手ブレの発生が阻止される。
【００１９】
なお、第３の膜部１７−３が限界まで変形した位置が、図４に示すスイッチ本体１０の限界のストロークＳLimit（押力ｆ３）となり、理論上はこのストロークまでスイッチ本体を押し込むことができる。すなわち、ΔＳ（ＳLimit−Ｓ２）のストロークが余裕のストローク（遊び）として、２ｎｄレリ−ズＯＮ以降において確保される。
【００２０】
第２の膜部１７−２と同様に、第３の膜部１７−３は略円錐台形状の部分斜面形状に形成されて座屈可能な形状となっている。そして、第２の膜部１７−２が変形して座屈を生じて２ｎｄレリ−ズをＯＮとした後にスイッチ本体１０を押し込むと、図４に示すように第３の膜部１７−３が変形し座屈する。そのため、２ｎｄレリ−ズＯＮ以降の不要な押し込みであることが指先の感触から認識され、それ以上の押し込みが阻止される。
【００２１】
実施例では、座屈を生じる第２、第３の膜部１７−２、１７−３は、いずれも略円錐台形状の部分斜面形状に形成されている。しかし、座屈可能な形状であれば足り、第２、第３の膜部１７−２、１７−３の形状は実施例の形状に限定されない。
なお、実施例では、第３の膜部１７−３が座屈変形を生じるものとして説明をしたが、２ｎｄレリーズ後のストロークを許容する変形であれば足り、第３の膜部の座屈は必ずしも必要としない。
また、本発明の対象となる撮像装置はデジタルビデオカメラ、フィルムカメラ、デジタルカメラに限定されず、たとえば、デジタルカメラの機能を持つ携帯電話、ノートパソコンなどのカメラ付モバイルツールなどカメラ機能を持つすべての機器が撮像装置に含まれる。
【００２２】
上記のように本発明によれば、２ｎｄレリーズがＯＮとなった後に、スイッチ本体が押し込まれても、第３の膜部が変形して第３の押し込み量を生じさせることにより、２ｎｄレリ−ズＯＮ以降の押し込みが吸収されて手ブレの発生が防止される。
【産業上の利用可能性】
【００２３】
本発明は、１ｓｔレリ−ズ（半押し）と２ｎｄレリ−ズ（全押し）の２段スイッチからなるレリ−ズ装置に広範囲に応用できる。
【図面の簡単な説明】
【００２４】
【図１】（Ａ）（Ｂ）は、本発明の一実施例に係る撮像装置のレリ−ズ装置の初期位置、および１ｓｔレリーズＯＮでの縦断面図を示す。
【図２】（Ａ）（Ｂ）は、本発明の一実施例に係る撮像装置のレリ−ズ装置の２ｎｄレリーズＯＮ、および２ｎｄレリーズＯＮを越えて押し込んだ状態での縦断面図を示す。
【図３】本発明の一実施例に係る撮像装置のレリ−ズ装置のスイッチ本体の分解斜視図を示す。
【図４】本発明の一実施例に係る撮像装置のレリ−ズ装置における押力−ストローク線図を示す。
【図５】本発明の一実施例に係る撮像装置のレリ−ズ装置の電気基板の平面図を示す。
【図６】（Ａ）（Ｂ）は公知のレリ−ズ装置の初期状態での正面図、および公知のレリ−ズ装置における押力−ストローク線図を示す。
【符号の説明】
【００２５】
１    レリーズ装置
１０  スイッチ本体
１１、１２            第１、第２の脚部
１１ａ、１２ａ        第１、第２のスイッチ接点
１６  中央柱状部
１８  スイッチ釦
１７−１〜１７−３    第１〜第３の膜部（第１〜第３の変形部）
２０  電気基板
２０−１〜２０−３    第１、第２のスイッチパターン、グランドパターン
３０  外装部材
４０  取付け部材
【図１】
2008096921.tif 000003
【図２】
2008096921.tif 000004
【図３】
2008096921.tif 000005
【図４】
2008096921.tif 000006
【図５】
2008096921.tif 000007
【図６】
2008096921.tif 000008